(57)【要約】【課題】移動端末機の特定機能の実行操作を容易にする。【解決手段】実行可能な複数の機能のうち一つを選択するための機能オプション及び選択された機能のターゲット対象を示すコンテンツを選択するためのコンテンツオプションを表示する表示部１１２と、機能識別コード及びコンテンツコードを含むイメージコードを生成するイメージコード生成部１１６と、他の移動通信端末機と通信する通信部１０４と、イメージコードを撮影するカメラ１０６と、撮影されたイメージコードを解読して機能識別コード及びコンテンツコードを認識するイメージコード認識部１１４と、コンテンツコードを利用して機能識別コードに対応する機能を実行する制御部１１０と、を含むものである。【選択図】図１
2008136214.tif 000002
【特許請求の範囲】
【請求項１】
移動端末機に特定機能を実行させるイメージコードを生成する方法であって、
前記移動端末機を通じて前記イメージコードの生成命令が入力されると、前記特定機能に対応する実行命令を含む機能識別コード及び前記特定機能のターゲット対象を示すコンテンツコードを選択する段階と、
前記選択された機能識別コード及び前記コンテンツコードを含むイメージコードを生成する段階と、
を含むイメージコードの生成方法。
【請求項２】
前記機能識別コード及び前記コンテンツコードを選択する段階は、
前記機能識別コードのリスト及び前記コンテンツコードのリストを検索する段階と、
前記各リストから前記機能識別コード及び前記コンテンツコードを選択する段階と、
を含むことを特徴とする請求項１記載のイメージコードの生成方法。
【請求項３】
前記コンテンツコードは、前記移動端末機に保存されたファイルの内の一つ、又はインターネット上に存在するファイルを指示するＵＲＬ（Uniform Resource Locator）を示すことを特徴とする請求項１記載のイメージコードの生成方法。
【請求項４】
前記生成されたイメージコードを保存する段階をさらに含むことを特徴とする請求項１記載のイメージコードの生成方法。
【請求項５】
前記機能識別コードは、移動端末機に保存されたファイルを実行するための命令、及びＷＡＰ（Wireless Application Protocol）を通じてインターネットに接続されたファイルを実行するための命令のうちいずれか一つを含み、
前記命令は、前記コンテンツコードに表示されることを特徴とする請求項１記載のイメージコードの生成方法。
【請求項６】
前記機能識別コードは、移動端末機の背景画面を前記コンテンツコードに含まれた画像に自動的に変更するための命令、及び移動端末機のベル音を前記コンテンツコードに含まれたベル音に自動的に変更するための命令のうちいずれか一つを含むことを特徴とする請求項１記載のイメージコードの生成方法。
【請求項７】
前記コンテンツコードは、語句（phrase）及び受信者番号を含み、
前記機能識別コードは、前記コンテンツコードに含まれた語句を利用して前記受信者番号でＳＭＳ（Short Message Service）メッセージを伝送するように指示する命令を含む、ことを特徴とする請求項１記載のイメージコードの生成方法。
【請求項８】
前記コンテンツコードは、ＵＲＬ（Uniform Resource Locator）を含み、
前記機能識別コードは、前記ＵＲＬで接続するように指示する命令を含む、
ことを特徴とする請求項１記載のイメージコードの生成方法。
【請求項９】
移動端末機によって生成されたイメージコードを使用して特定機能を実行する方法であって、
前記イメージコードを読み込む段階と、
前記イメージコードを解読して機能識別コード及びコンテンツコードを取得する段階と、
前記コンテンツコードを利用して前記機能識別コードに対応する前記特定機能を実行する段階と、
を含むイメージコードを利用した機能実行方法。
【請求項１０】
前記イメージコードを読み込む段階は、カメラでイメージコードを撮影すること又は記憶部に保存されたイメージコードをイメージコード認識部に読み出すことを特徴とする請求項９記載のイメージコードを利用した機能実行方法。
【請求項１１】
前記機能識別コードは、
アプリケーションコード又はテーマ変更コードを含むことを特徴とする請求項９記載のイメージコードを利用した機能実行方法。
【請求項１２】
前記アプリケーションコードは、マルチメディアプレーヤーを行うための命令を含み、
前記テーマ変更コードは、背景画面や待機画面を変更するための命令を含むことを特徴とする請求項１１記載のイメージコードを利用した機能実行方法。
【請求項１３】
前記コンテンツコードは、コード化されたコンテンツ、移動端末機に保存されたコンテンツファイル及びインターネット上のファイルを指示するＵＲＬ（Uniform Resource Locator）のうち少なくとも一つを含むことを特徴とする請求項９記載のイメージコードを利用した機能実行方法。
【請求項１４】
前記機能識別コードは、移動端末機に保存されたファイルを実行させるための命令と、ＷＡＰ（Wireless Application Protocol）を通じてインターネットに接続されたファイルを実行させるための命令と、移動端末機の背景画面を前記コンテンツコードに含まれた画像に自動的に変更させるための命令及び移動端末機のベル音を前記コンテンツコードに含まれたベル音に自動的に変更させるための命令のうち一つを含み、
前記命令は、前記コンテンツコードに表示されることを特徴とする請求項９記載のイメージコードを利用した機能実行方法。
【請求項１５】
前記コンテンツコードは、語句（phrase）及び受信者番号を含み、
前記機能識別コードは、前記コンテンツコードに含まれた語句（phrase）を利用してＳＭＳメッセージを前記受信者番号で伝送するように指示する命令を含むことを特徴とする請求項９記載のイメージコードを利用した機能実行方法。
【請求項１６】
実行可能な複数の機能のうち一つを選択するための機能オプション及び選択された機能のターゲット対象を示すコンテンツを選択するためのコンテンツオプションを表示する表示部と、
機能識別コード及びコンテンツコードを含むイメージコードを生成するイメージコード生成部と、
を含む移動通信端末機。
【請求項１７】
前記生成されたイメージコードは、選択された機能の実行命令を含む機能識別コード及び前記ターゲット対象を含むコンテンツコードを含むことを特徴とする請求項１６記載の移動通信端末機。
【請求項１８】
前記コンテンツコードは、記憶部に保存されたファイル、及びインターネット上に存在するファイルを指示するＵＲＬ（Uniform Resource Locator）を表示することを特徴とする請求項１７記載の移動通信端末機。
【請求項１９】
前記機能識別コードは、記憶部に保存されたファイルを実行するための命令と、ＷＡＰ（Wireless Application Protocol）を通じてインターネットに接続されたファイルを実行するための命令と、表示部の背景画面を前記コンテンツコードに含まれた画像に自動的に変更するための命令及びベル音を前記コンテンツコードに含まれたベル音に自動的に変更するための命令のうち一つを含み、
前記命令は、前記コンテンツコードに表示されることを特徴とする請求項１７記載の移動通信端末機。
【請求項２０】
前記コンテンツコードは、慣用句及び受信者番号を含み、
前記機能識別コードは、前記コンテンツコードに含まれた慣用句を利用して前記受信者番号でＳＭＳメッセージを伝送するように指示する命令を含むことを特徴とする請求項１７記載の移動通信端末機。
【請求項２１】
前記コンテンツコードは、ＵＲＬ（Uniform Resource Locator）を含み、
前記機能識別コードは、前記ＵＲＬに接続するように指示する命令を含むことを特徴とする請求項１７記載の移動通信端末機。
【請求項２２】
他の移動通信端末機と通信する通信部と、
自ら生成した又は他の移動端末機で生成されたイメージコードを撮影するカメラと、
前記撮影されたイメージコードを解読して機能識別コード及びコンテンツコードを認識するイメージコード認識部と、
前記コンテンツコードを利用して前記機能識別コードに対応する機能を実行する制御部と、
を含む移動通信端末機。  
【請求項２３】
前記機能識別コードは、マルチメディアプレーヤーを実行させるための命令と、表示部の背景画面又は待機画面を変更させるための命令と、記憶部に保存されたファイルを実行させるための命令と、ＷＡＰ（Wireless Application Protocol）を通じてインターネットに接続されたファイルを実行させるための命令と、表示部の背景画面を前記コンテンツコードに含まれた画像に自動的に変更するための命令及びベル音を前記コンテンツコードに含まれたベル音に自動的に変更するための命令のうち一つを含み、
前記命令は、前記コンテンツコードに表示されることを特徴とする請求項２２記載の移動通信端末機。
【請求項２４】
前記コンテンツコードは、コード化されたコンテンツ、記憶部に保存されたコンテンツファイル、及びインターネット上に存在するファイルを指示するＵＲＬ（Uniform Resource Locator）のうち少なくとも一つを含むことを特徴とする請求項２２記載の移動通信端末機。
【請求項２５】
前記コンテンツコードは、慣用句及び受信者番号を含み、
前記機能識別コードは、前記コンテンツコードに含まれた慣用句を利用して前記受信者番号でＳＭＳメッセージを伝送するように指示する命令を含むことを特徴とする請求項２２記載の移動通信端末機。
【発明の詳細な説明】
【技術分野】
【０００１】
本発明は、移動端末機におけるイメージコードを利用した機能実行方法に関する。
【背景技術】
【０００２】
移動端末機は、基本的な通話機能以外に付加的な多様な機能を提供する。例えば、使用者は、自分の移動端末機を利用してインターネット接続、テキスト及び音声メッセージの送受信、ビデオ視聴、ゲーム、作業スケジュール等の機能を実行することができる。様々な機能が増加することによって、メニューオプションの個数も増加している。
【０００３】
したがって、使用者が特定機能を設定しようとするときには、通常、複数のメニューオプションを実行しなければならなかった。例えば、使用者が自分の移動端末機に特定のベル音を設定しようとするときには、先ず、メインメニューボタンを選択して「サウンド」サブメニューを選択し、次に、「ベル音（ring tone）」サブメニューを選択し、さらに、複数のベル音の内から一つを選択することになる。
【０００４】
しかし、これは、使用者、特に移動端末機で提供される様々なメニューオプションを利用するのが苦手な高齢者（older people）にとって不便であった。また、多くの事業家は、定期的に色々な地域を移動する際に、移動端末機をレンタルすることを希望する。この場合、使用者（事業家）は、レンタルした移動端末機に特定のベル音を設定しなければならない。しかしながら、各種移動端末機は、それぞれ異なるメニューオプションを使用しているため、使用者が使い慣れない移動端末機にベル音を設定することは、容易でなかった。移動端末機に提供される他の機能を設定し、使えるようにする場合にも同様である。
【発明の開示】
【発明が解決しようとする課題】
【０００５】
本発明の目的は、移動端末機の特定機能の実行に係わる命令を含むイメージコードの生成をしようとすることでもある。
【０００６】
また、本発明の他の目的は、上記イメージコードを読み込んで解読することで移動端末機の特定機能の実行操作を容易にしようとすることである。
【課題を解決するための手段】
【０００７】
本発明の実施形態によるイメージコードの生成方法は、移動端末機に特定機能を実行させるイメージコードを生成する方法であって、前記移動端末機を通じて前記イメージコードの生成命令が入力されると、前記特定機能に対応する実行命令を含む機能識別コード及び前記特定機能のターゲット対象を示すコンテンツコードを選択する段階と、前記選択された機能識別コード及び前記コンテンツコードを含むイメージコードを生成する段階と、を含む。
【０００８】
本発明の実施形態によるイメージコードを利用した機能実行方法は、移動端末機によって生成されたイメージコードを使用して特定機能を実行する方法であって、前記イメージコードを読み込む段階と、前記イメージコードを解読して機能識別コード及びコンテンツコードを取得する段階と、前記コンテンツコードを利用して前記機能識別コードに対応する前記特定機能を実行する段階と、を含む。
【０００９】
本発明の実施形態による移動通信端末機は、実行可能な複数の機能のうち一つを選択するための機能オプション及び選択された機能のターゲット対象を示すコンテンツを選択するためのコンテンツオプションを表示する表示部と、機能識別コード及びコンテンツコードを含むイメージコードを生成するイメージコード生成部と、を含む。
【００１０】
本発明の実施形態による移動通信端末機は、他の移動通信端末機と通信する通信部と、自ら生成した又は他の移動端末機で生成されたイメージコードを撮影するカメラと、前記撮影されたイメージコードを解読して機能識別コード及びコンテンツコードを認識するイメージコード認識部と、前記コンテンツコードを利用して前記機能識別コードに対応する機能を実行する制御部と、を含む。
【発明の効果】
【００１１】
本発明によれば、使用者が移動端末機で特定機能の実行に係わる命令を含むイメージコードを生成することができる。また、生成したイメージコードを移動端末機や外部記憶媒体に保存して携帯することができる。さらに、移動端末機によりイメージコードを認識して使用者が所望する特定機能を実行させることができる。これにより、移動端末機で提供される様々なメニューオプションを利用せずに所望の機能を実行することができ、移動端末機の機能の実行操作が容易になる。
【発明を実施するための最良の形態】
【００１２】
以下、本発明による具体的な実施形態を添付図面を参照して説明する。
本発明は、移動端末機で実行可能な特定機能に対応するイメージコードの生成方法、及びイメージコードを使用した機能実行方法に係わる。例えば、使用者はイメージコードを撮影することができ、移動端末機は自ら特定機能を自動的に設定するためにイメージコードに含まれた情報を解読することができる。また、使用者は、移動端末機で特定機能に対応するイメージコードを生成することができ、生成したイメージコードを他の使用者の移動端末機に伝送して、他の使用者が移動端末機上に同じ特定機能を設定することもできる。さらに、使用者は、生成されたイメージコードを例えば名刺（name card）等に印刷することができ、これによって使用者は、移動端末機の特定機能を再実行する際に繰り返し上記名刺等を使用ことができる。
【００１３】
具体的には、イメージコードは、一次元バーコードより多い情報を記録することができる二次元バーコード等である。また、生成したイメージコードは、本発明の移動端末機又は他の外部記憶媒体に保存することができる。図１は、本発明の一実施形態による移動端末機を示すブロック図である。
【００１４】
図１を参照すれば、移動端末機１００は、入力部１０２、通信部１０４、カメラ１０６、カメラ駆動部１０８、制御部１１０、表示部１１２、イメージコード認識部１１４、イメージコード生成部１１６及び記憶部１１８を含む。入力部１０２は、使用者によって入力されるイメージコード生成及びイメージコード認識に係わる命令を出力するものであり、カメラ１０６を操作するために使用される様々なボタン、及びイメージコードを生成したりコンテンツを選択したりするための機能(方向) ボタンを含む。
【００１５】
また、通信部１０４は、移動通信網を通じて他の移動端末機との電話通信用の音声信号及びマルチメディアデータ等を送受信するものであり、音声信号及びデータを送受信するための送受信部を含む。
【００１６】
また、カメラ１０６は、移動端末機の特定機能設定用の情報を含むイメージコードを撮影するために使用される。また、このカメラ１０６は、他の写真撮影のためにも使用することができる。また、カメラ駆動部１０８は、カメラ１０６を駆動して、カメラ１０６から受信したイメージ信号をイメージデータに変換するものである。
【００１７】
また、使用者が入力部１０２を操作してイメージコードの生成命令を入力すると、制御部１１０はイメージコード生成に係わる複数のオプションを表示部１１２に表示する。制御部１１０は、イメージコード生成部１１６を制御して所望のイメージコードを生成し、この生成されたイメージコードを記憶部１１８に保存する。これに関連して、使用者が入力部１０２を操作してイメージコード認識命令を入力すると、制御部１１０はカメラ駆動部１０８を駆動させ、カメラ１０６によるイメージコードの撮影を可能するように制御する。また、制御部１１０は、イメージコード認識部１１４を制御して撮影されたイメージコードを解読し、イメージコードに含まれた機能が実行されるようにする。
【００１８】
また、表示部１１２は、移動端末機１００の動作状態を表示し、移動端末機１００を制御するために使用者によって選択される他の様々なメニューオプションを表示する。また、表示部１１２は、他の様々なイメージコードも表示する。さらに、イメージコード認識部１１４は、撮影されたイメージコードを読み込んで解読し、解読されたイメージコードの情報を制御部１１０に伝送する。
【００１９】
また、上述したように、イメージコード生成部１１６は、使用者によって選択された機能（特定機能）の実行に関するイメージコードを生成する。例えば、 上記機能は、記憶部１１８にファイルを保存したり、ＷＡＰ（Wireless Application Protocol）を通じてインターネット上に存在するファイルを実行したり、特定ベル音を設定したりすることである。また、イメージコードは移動端末機が特定機能を実行するように指示する機能識別コード、及び移動端末機１００で実行されるターゲット対象(例えば、背景画面、ベル音等)を示すコンテンツコードを含み、後述の記憶部１１８から読み出した上記機能識別コード及びコンテンツコードにより生成される。又は、所定の規則にしたがって生成されてもよい。
【００２０】
即ち、イメージコードによって指示される機能は、移動端末機１００の背景画面をこのイメージコードに含まれた画像に自動的に変更させたり、 移動端末機１００のベル音をイメージコードに含まれたベル音に自動的に変更させたりするものである。したがって、イメージコードは、種々の命令 (機能識別コード) 及び移動端末機で実行されるベル音並びに背景イメージ(コンテンツコード)を含む。
【００２１】
また、イメージコードに記録されたコンテンツコードは、複数の慣用句、又は友達や事業仲間やパートナー等の電話番号を含む。機能識別コードは、各電話番号のうちから選択された何れか一つの番号でＳＭＳメッセージを伝送するように指示する。なお、ＳＭＳメッセージは、コンテンツコードに含まれた慣用句のうち何れか一つを含む。
【００２２】
コンテンツコードは、特定のＵＲＬ（Uniform Resource Locator）を含み、機能識別コードは、コンテンツコードに含まれた特定のＵＲＬを使用してインターネットに接続するように移動端末機１００に指示する命令を含む。また、コンテンツコードは、移動端末機１００に保存されたファイルやファイルが存在するインターネット上のＵＲＬを含む。例えば、機能識別コードは、移動端末機１００内に保存されたファイル（例えば、マルチメディアファイルや他のファイル等）、又はＵＲＬによって識別されるファイルを表示するように指示する命令を含む。また、記憶部１１８は、複数の実行プログラム及び実行プログラムに係わるコンテンツ、及びイメージコード生成部１１６によって生成されたイメージコードを格納するものであり、交換可能な外部記憶媒体も含まれる。
【００２３】
図２は本発明の実施形態によるイメージコードの生成方法を説明するフローチャートである。以下、図１及び図２を参照して説明する。図２に示すように、制御部１１０は、使用者が入力部１０２を操作してイメージコードの生成命令を入力したか否かを判定する（Ｓ２０２）。使用者が上記命令を入力すると（Ｓ２０２において“ＹＥＳ”判定）、制御部１１０は、例えば図４に示すように、複数の機能を例えばリスト形式で表示部１１２に表示する（Ｓ２０４）。
【００２４】
ここで、使用者が例えば複数の機能のうちから「ベル音変更」機能を選択すると、制御部１１０は、図５に示すように「ベル音変更」機能としての特定ベル音（ターゲットコンテンツ）の選択画面を表示部１１２に表示して使用者が選択できるようにする。
【００２５】
図５に示すように、使用者は、移動端末機で（ファイル検索）又はインターネットを経由（例えば、ＷＡＰ検索）して特定ベル音を検索することができる。図５において、使用者がファイル検索オプションを検索して、記憶部１１８から「学校の鐘．ＭＰ３」ベル音ファイルを選択すると、例えば図６に示すような画面が表示される。引き続いて、使用者は、イメージコードを生成するために図６に示す「生成」メニューオプションを選択する。この場合、イメージコードは、移動端末機１００のベル音を「学校の鐘．ＭＰ３」ベル音に変更するように指示する命令を含む。
【００２６】
より具体的には、使用者が「生成」メニューオプションを選択すると、制御部１１０は、イメージコードを生成するためにイメージコード生成部１１６を制御する（Ｓ２０８）。制御部１１０は、イメージコードの生成が完了したか否かを判定する（Ｓ２１０）。イメージコードの生成が完了すると（Ｓ２１０において“ＹＥＳ判定”）、制御部１１０は生成されたイメージコードを表示部１１２に表示し、又は記憶部１１８に保存する（Ｓ２１２）。また、制御部１１０は、使用者にイメージコードの生成が完了したことを通知する。
【００２７】
また、イメージコードの生成方法は、図５に示すように、機能選択（オプション）とその機能に係わるコンテンツ選択（オプション）とに区分することもできる。
【００２８】
図４に示すように、機能には、「待機画面適用」、「ベル音変更」、「ＭＰ３リスト」、「動画ビューアー」及び「テーマ変更」のような複数の機能が含まれる。また、前述したように、使用者は、ファイル検索オプションやＷＡＰ検索オプションを利用して該当のコンテンツを検索することができる。
【００２９】
一方、使用者は、Ｇｏｏｇｌｅのような検索オプションを利用して特定コンテンツを検索することができる。また、所望のコンテンツ名を入力して検索することもできる。この場合、使用者は、検索結果のリストから所望のコンテンツを選択する。ここで、「動画ビューアー」機能は、移動端末機でマルチメディアプレーヤーを使用することである。
【００３０】
また、イメージコードのフォーマットには、バーコード（Bar Code）、ＱＲコード、データマトリックス（Data Matrix）、ＰＤＦ１４７、マキシコード（Maxi Code）、カラーコード（Color Code）、グレーコード（Gray Code）、３次元バーコード（3-D barcode）等が含まれる。また、イメージコードのフォーマットには、ラスタ（raster）基盤のビットマップ(bitmap) ファイル又はベクター（vector） 基盤のメタ（meta）ファイル等も含まれる。また、使用者は、マルチメディアメッセージサービスや、ＵＳＢフォトや、ＵＡＲＴフォトを利用して生成されたイメージコードを他の移動端末機に伝送することができる。また、生成されたイメージコードを印刷して他の使用者がこのイメージコードを読み込んで利用することもできる。また、イメージコードは、使用者が繰り返し使ったり、生成されたイメージコードを見ることができるように例えば名刺（name card）等に印刷したりすることができる。
【００３１】
なお、利用可能な複数の機能は、図４に示す機能に限定されない。例えば、利用可能な諸機能には、「ダイヤリング（dialing）」、「ＳＭＳメッセージ送信」等の機能も含まれる。さらに、具体的には、使用者が「ダイヤリング」機能を選択した場合、イメージコード内に電話番号の数字及び自動ダイヤリング機能が生成される。また、使用者が「ＳＭＳメッセージ送信」機能を選択した場合は、イメージコード内に受信番号の数字、慣用句及び自動テキスト伝送機能が生成される。
【００３２】
図３は本発明の実施形態によるイメージコードを利用した機能実行方法を説明するためのフローチャートである。以下、図１及び図３を参照して説明する。図３に示すように、制御部１１０は、使用者が移動端末機１００の入力部１０２を利用してイメージコード認識命令を入力したか否かを判定する（Ｓ３０２）。
【００３３】
使用者が上記命令を入力すると（Ｓ３０２において、“ＹＥＳ”判定）、制御部１１０は、カメラ駆動部１０８を制御してカメラ１０６を駆動させ、イメージコードを撮影する（Ｓ３０４）。この場合、イメージコードは、使用者の名刺（name card）等に印刷されたものである。また、イメージコードは、機能識別コード及びコンテンツコードを含む。また、カメラ駆動部１０８は、撮影されたイメージコードをイメージデータに変換する。
【００３４】
引き続いて、制御部１１０は、イメージコード認識部１１４を制御して撮影されたイメージコードを解読する（Ｓ３０６）。すなわち、イメージコード認識部１１４は、イメージコードに含まれた機能識別コード及びコンテンツコードを解読する。制御部１１０は、解読された機能識別コード及びコンテンツコードを使用してコンテンツ(例えば、学校鐘)を選択し、該当機能(例えば、ベル音変更)を実行する（Ｓ３０８）。
【００３５】
前述したように、イメージコードに含まれる機能は、「ベル音変更」、「待機画面適用」、「ＭＰ３リスト」、「動画ビューアー」、「テーマ変更」、「ダイヤリング」、「ＳＭＳメッセージ送信」等を含む。また、イメージコードは、コンテンツコードとしてのウェブサイトのＵＲＬ及び機能識別コードとしてのＵＲＬに接続する命令を含む。
【００３６】
また、イメージコードに含まれた機能識別コードは、例えば、機能プログラムの実行ファイルと照合することができ、機能プログラムを識別する数字、文字又はこれらの組み合わせ、実行ファイル名、実行ファイル拡張子等を含む。ここで、機能プログラムは、ワープロ（Word Processor）、スプレットシートプログラム（Spreadsheet Program）、プレゼンテーションプログラム（Presentation Program）、電子メールプログラム、データベースプログラム等を含む。
【００３７】
また、機能識別コードは、ウェブブラウザーでウェブページを実行させるＨＴＭＬフォーマットのソースコード（source code）を含んでいてもよいし、テキスト内容を見せるＴＸＴフォーマットのテキストも含んでいてもよい。また、機能識別コードには、ウェブページの特定メニューを実行させるためのコード、ワードプロセッサのスタイル、ページ設定等の環境設定を制御する機能アイコンを行うためのコードも含めることができる。
【００３８】
なお、図３においては、例えば名刺等に印刷されたイメージコードをカメラで撮影して利用する場合について説明したが、本発明はこれに限られず、記憶部１１８に保存されたイメージコードを読み出して利用してもよい。
【００３９】
以上説明した本発明は、当業者にとって本発明の技術的思想を脱しない範囲内で様々な置換、変形及び変更が可能であり、前述の実施形態及び添付された図によって限定されるものではない。
【図面の簡単な説明】
【００４０】
【図１】本発明の実施形態による移動端末機を示すブロック図である。
【図２】本発明の実施形態によるイメージコードの生成方法を説明するフローチャートである。
【図３】本発明の実施形態によるイメージコードを利用した機能実行方法を説明するフローチャートである。
【図４】本発明の実施形態によるイメージコードの生成時に、一つの機能の選択について示す説明図である。
【図５】本発明の実施形態によるイメージコードの生成時に、コンテンツの選択について示す説明図である。
【図６】本発明の実施形態によるイメージコードの生成について示す説明図である。
【符号の説明】
【００４１】
１０２…入力部
１０４…通信部
１０６…カメラ
１１４…イメージコード認識部
１１０…制御部
１１２…表示部
１１６…イメージコード生成部
１１８…記憶部
【図１】
2008136214.tif 000003
【図２】
2008136214.tif 000004
【図３】
2008136214.tif 000005
【図４】
2008136214.tif 000006
【図５】
2008136214.tif 000007
【図６】
2008136214.tif 000008